(57)【要約】【課題】原稿の内容に応じて画像加工の対象とする指定色が異なる場合でも、簡易に前記指定色を設定できること。【解決手段】色特定装置４３は、読取装置１により参照原稿９ｂから読み取られた参照画像に含まれる色指定画像の色を指定色として特定する。画像加工装置４４は、前記読取装置１により対象原稿９ａから読み取られた一次画像における前記指定色の部分に対して予め定められた加工を施すことにより、加工後の二次画像のデータを生成する。【選択図】図１
2019106669.tif 000002
【特許請求の範囲】
【請求項１】
原稿から画像を読み取る読取装置と、
前記読取装置により参照原稿から読み取られた参照画像に含まれる色指定画像の色を指定色として特定する色特定装置と、
前記読取装置により対象原稿から読み取られた一次画像における前記指定色の部分に対して予め定められた加工を施すことにより、加工後の二次画像のデータを生成する画像加工装置と、を備える画像処理装置。
【請求項２】
前記読取装置は、
１枚以上の前記原稿を順次搬送可能な原稿搬送装置と、
前記原稿が載置されるプラテンガラスと、
予め定められた読取位置において、前記原稿搬送装置によって搬送される前記原稿各々から画像を読み取る固定読取装置と、
前記プラテンガラス上の前記原稿を走査しつつ、前記プラテンガラス上の前記原稿から画像を読み取る走査読取装置と、を備え、
前記固定読取装置および前記走査読取装置の一方である第１読取装置が、前記参照原稿から画像を読み取り、
前記固定読取装置および前記走査読取装置の他方である第２読取装置が、前記対象原稿から画像を読み取る、請求項１に記載の画像処理装置。
【請求項３】
前記走査読取装置は、前記固定読取装置を兼ね、前記第１読取装置として動作した後に前記第２読取装置として動作する、請求項２に記載の画像処理装置。
【請求項４】
前記第２読取装置は、前記第１読取装置により前記参照原稿の全領域の画像が読み取られることを待つことなく、前記対象原稿から画像を読み取る、請求項２または請求項３に記載の画像処理装置。
【請求項５】
前記色特定装置は、前記参照画像から予め定められた特定マークを検出し、前記参照画像における前記特定マークに対応する位置に存在する前記色指定画像の色を前記指定色として特定する、請求項２から請求項４のいずれか１項に記載の画像処理装置。
【請求項６】
前記読取装置は、
１枚以上の前記原稿を順次搬送可能な原稿搬送装置と、
予め定められた読取位置において、前記原稿搬送装置によって搬送される前記原稿各々から画像を読み取る固定読取装置と、を備え、
前記色特定装置は、前記原稿搬送装置により順次搬送される複数枚の前記原稿のうち予め定められた参照条件を満たす一部を前記参照原稿と判定し、前記参照原稿に続いて搬送されるその他を前記対象原稿と判定する、請求項１に記載の画像処理装置。
【請求項７】
前記色特定装置は、予め定められた順番に搬送される前記原稿を前記参照原稿であると判定する、請求項６に記載の画像処理装置。
【請求項８】
前記色特定装置は、前記原稿各々から読み取られる画像から予め定められた特定マークを検出することにより、前記特定マークを検出できた前記原稿が前記参照原稿であると判定し、前記参照画像における前記特定マークに対応する位置に存在する前記色指定画像の色を前記指定色として特定する、請求項６に記載の画像処理装置。
【請求項９】
前記予め定められた加工が、前記指定色の画像を消去することである、請求項１から請求項８のいずれか１項に記載の画像処理装置。
【請求項１０】
前記二次画像をシートに形成する画像形成装置をさらに備える、請求項１から請求項９のいずれか１項に記載の画像処理装置。
【発明の詳細な説明】
【技術分野】
【０００１】
本発明は、読み取り画像における指定色の部分に加工を施す画像処理装置に関する。
【背景技術】
【０００２】
一般に、スキャナー、複写機または複合機などの画像処理装置は、原稿から画像を読み取る読取装置を備える。
【０００３】
また、前記画像処理装置が、複写処理を実行する際に、前記原稿から読み取られた画像に対し、予め指定された色の画像を消去することが知られている（例えば、特許文献１参照）。
【先行技術文献】
【特許文献】
【０００４】
【特許文献１】特開平９−２１４７８２号公報
【発明の概要】
【発明が解決しようとする課題】
【０００５】
ところで、前記原稿の内容に応じて消去などの画像加工の対象とする指定色が異なる場合がある。この場合、前記指定色をその都度設定する操作を行うことは、ユーザーにとって手間である。
【０００６】
本発明の目的は、原稿の内容に応じて画像加工の対象とする指定色が異なる場合でも、簡易に前記指定色を設定できる画像処理装置を提供することにある。
【課題を解決するための手段】
【０００７】
本発明の一の局面に係る画像処理装置は、読取装置と、色特定装置と、画像加工装置と、を備える。前記読取装置は、原稿から画像を読み取る。前記色特定装置は、前記読取装置により参照原稿から読み取られた参照画像に含まれる色指定画像の色を指定色として特定する。前記画像加工装置は、前記読取装置により対象原稿から読み取られた一次画像における前記指定色の部分に対して予め定められた加工を施すことにより、加工後の二次画像のデータを生成する。
【発明の効果】
【０００８】
本発明によれば、原稿の内容に応じて画像加工の対象とする指定色が異なる場合でも、簡易に前記指定色を設定できる画像処理装置を提供することが可能になる。
【図面の簡単な説明】
【０００９】
【図１】図１は、第１実施形態に係る画像処理装置の構成を表すブロック図である。
【図２】図２は、第１実施形態に係る画像処理装置が備える読取装置の構成図である。
【図３】図３は、第１実施形態に係る画像処理装置における色加工制御の手順の一例を示すフローチャートである。
【図４】図４は、参照原稿の第１例を示す図である。
【図５】図５は、第２実施形態に係る画像処理装置が備える読取装置の構成図である。
【図６】図６は、参照画像の第２例を示す図である。
【発明を実施するための形態】
【００１０】
以下、添付図面を参照しながら、本発明の実施形態について説明する。なお、以下の実施形態は、本発明を具体化した一例であって、本発明の技術的範囲を限定する性格を有さない。
【００１１】
［第１実施形態］
第１実施形態に係る画像処理装置１０は、読取装置１を備える複写機または複合機である。なお、画像処理装置１０がスキャナーであることも考えられる。
【００１２】
図１に示されるように画像処理装置１０は、読取装置１、画像形成装置２，ユーザーインターフェイスユニット３、ＣＰＵ（Central Processing Unit）４、ＲＡＭ（Random Access Memory）４ａ、二次記憶装置５および通信装置６などを備える。
【００１３】
読取装置１は、原稿９１から画像を読み取る読取処理を実行する。画像形成装置２は、シート９２に画像を形成する印刷処理を実行する。
【００１４】
ユーザーインターフェイスユニット３は、操作装置３ａおよび表示装置３ｂを含む。操作装置３ａは、ユーザーの操作を受け付ける装置であり、例えばタッチパネルを含む。表示装置３ｂは、画像を表示可能な装置であり、例えば、液晶表示パネルなどの表示パネルを含む。
【００１５】
通信装置６は、ネットワーク８０を通じて他装置８との間で通信を行う通信インターフェイスデバイスである。他装置８は、例えばパーソナルコンピューターなどの情報処理装置である。
【００１６】
ＣＰＵ４は、他装置８との間のデータの送信および受信の全てを、通信装置６を通じて行う。
【００１７】
二次記憶装置５は、コンピューター読み取り可能な不揮発性の記憶装置である。二次記憶装置５は、プログラムおよび各種のデータを記憶可能である。例えば、フラッシュメモリーまたはハードディスクドライブの一方または両方が、二次記憶装置５として採用される。
【００１８】
ＲＡＭ４ａは、ＣＰＵ４が実行する前記プログラムおよびＣＰＵ４が前記プログラムを実行する過程で出力および参照するデータを一次記憶する揮発性の記憶装置である。ＲＡＭ４ａは、二次記憶装置５よりも高速なデータアクセスが可能な記憶装置である。
【００１９】
画像形成装置２は、電子写真方式またはインクジェット方式などの予め定められた方式で前記印刷処理を実行する。
【００２０】
例えば、画像形成装置２が電子写真方式の装置である場合、画像形成装置２は、シート搬送機構２ａ、感光体２ｂ、帯電装置２ｃ、レーザースキャニングユニット２ｄ、現像装置２ｅ、転写装置２ｆおよび定着装置２ｇなどを備える。
【００２１】
シート搬送機構２ａは、予め定められた経路に沿ってシート９２を搬送する。帯電装置２ｃは、感光体２ｂの表面を帯電させる。レーザースキャニングユニット２ｄは、帯電した感光体２ｂの表面に静電潜像を書き込む。
【００２２】
現像装置２ｅは、感光体２ｂ上の前記静電潜像をトナー像へ現像する。転写装置２ｆは、感光体２ｂ上の前記トナー像をシート９２に転写する。定着装置２ｇは、シート９２上の前記トナー像を加熱することにより、前記トナー像をシート９２に定着させる。
【００２３】
図２に示されるように、読取装置１は、プラテンガラス１ａ、走査読取装置１ｂ、原稿トレイ１ｃ、原稿搬送装置１ｄ、排出トレイ１ｅ、固定読取装置１ｆおよびコンタクトガラス１ｇなどを備える。
【００２４】
プラテンガラス１ａは、原稿９１が載置される透明の板である。走査読取装置１ｂは、プラテンガラス１ａ上の原稿９１を走査しつつ、プラテンガラス１ａ上の原稿９１から画像を読み取る。走査読取装置１ｂは、原稿９１からカラー画像を読み取り可能である。
【００２５】
走査読取装置１ｂは、キャリッジ１０１、駆動装置１０２、光源１０３、イメージセンサー１０４およびＡＦＥ（Analog Front End）１０５などを備える。
【００２６】
キャリッジ１０１は、主走査方向Ｄ１に沿って延びて形成され、副走査方向Ｄ２に沿って往復移動可能に支持された部材である。副走査方向Ｄ２は、主走査方向Ｄ１に直交する方向であり、プラテンガラス１ａに沿う方向である。
【００２７】
駆動装置１０２は、キャリッジ１０１を副走査方向Ｄ２に沿って往復移動させることが可能である。光源１０３は、キャリッジ１０１に支持されている。光源１０３は、主走査方向Ｄ１に延びて形成されている。
【００２８】
光源１０３は、プラテンガラス１ａ上の原稿９１に対して光を出射する。従って、駆動装置１０２は、光源１０３の光を原稿９１に対して副走査方向Ｄ２に沿って走査させる。
【００２９】
イメージセンサー１０４は、プラテンガラス１ａ上の原稿９１からの反射光を受光し、受光量の検出信号を画像信号として出力する。ＡＦＥ１０５は、イメージセンサー１０４が出力する前記画像信号をデジタルの画像データへ変換する。
【００３０】
走査読取装置１ｂが原稿９１の画像を読み取る際に、駆動装置１０２は、キャリッジ１０１をプラテンガラス１ａにおける副走査方向Ｄ２の一端に対向する起点位置Ｐ１から副走査方向Ｄ２に沿う第１方向Ｄ２１へ移動させる。
【００３１】
図２に示される例において、光源１０３およびイメージセンサー１０４は、ＣＩＳ（Contact Image Sensor）としてユニット化されている。この場合、光源１０３は、赤、緑および青の３つの単色光源を含む。
【００３２】
なお、イメージセンサー１０４がＣＣＤ（Charge Coupled Device）センサーであることも考えられる。この場合、白色の光源１０３および不図示の複数のミラーの一部がキャリッジ１０１に支持され、前記複数のミラーの他の一部およびイメージセンサー１０４は固定されている。前記複数のミラーは、プラテンガラス１ａ上の原稿９１からの反射光を、固定されたイメージセンサー１０４へ導く。
【００３３】
原稿トレイ１ｃは、１枚以上の原稿９１が載置される部分である。原稿搬送装置１ｄは、原稿トレイ１ｃ上の１枚以上の原稿９１を原稿搬送路１００に沿って順次搬送する。さらに、原稿搬送装置１ｄは、原稿９１を原稿搬送路１００から排出トレイ１ｅへ排出する。
【００３４】
固定読取装置１ｆは、予め定められた読取位置Ｐ０において、原稿搬送装置１ｄによって搬送される原稿９１各々から画像を読み取る。読取位置Ｐ０は、原稿搬送路１００の途中の位置である。固定読取装置１ｆは、原稿９１からカラー画像を読み取り可能である。
【００３５】
固定読取装置１ｆは、光源１０６、イメージセンサー１０７およびＡＦＥ１０８を備える。光源１０６は、主走査方向Ｄ１に延びて形成されている。
【００３６】
光源１０６は、読取位置Ｐ０を通過する原稿９１に対して光を出射する。従って、原稿搬送装置１ｄは、光源１０６の光を原稿９１に対して副走査方向Ｄ２に沿って走査させる。
【００３７】
コンタクトガラス１ｇは、読取位置Ｐ０に配置されている。光源１０６の光は、コンタクトガラス１ｇを通じて原稿９１に照射される。
【００３８】
イメージセンサー１０７は、読取位置Ｐ０を通過する原稿９１からの反射光を受光し、受光量の検出信号を画像信号として出力する。ＡＦＥ１０８は、イメージセンサー１０７が出力する前記画像信号をデジタルの画像データへ変換する。
【００３９】
図２に示される例において、光源１０６およびイメージセンサー１０７は、ＣＩＳとしてユニット化されている。この場合、光源１０６は、赤、緑および青の３つの単色光源を含む。
【００４０】
読取装置１、画像形成装置２および通信装置６は、画像処理に関するジョブを実行する装置の一例である。以下の説明において、読取装置１、画像形成装置２および通信装置６の全体のことをジョブ処理装置と称する。
【００４１】
例えば、読取装置１および通信装置６は、画像送信ジョブを実行する。前記画像送信ジョブにおいて、読取装置１が前記読取処理を実行し、通信装置６が、前記読取処理により得られる画像データを、ネットワーク８０を通じて予め指定された宛先へ送信する。前記宛先は、例えば、ネットワーク８０上の他装置８のＩＰアドレスまたは電子メールアドレスなどである。
【００４２】
また、読取装置１および画像形成装置２は、複写ジョブを実行する。前記複写ジョブにおいて、読取装置１が前記読取処理を実行し、通信装置６が、前記読取処理により得られる画像データに基づく前記印刷処理を実行する。
【００４３】
また、画像形成装置２および通信装置６は、印刷ジョブを実行する。前記印刷ジョブにおいて、通信装置６が他装置８からネットワーク８０を通じて印刷データを受信し、画像形成装置２が、前記印刷データに基づく前記印刷処理を実行する。
【００４４】
ＣＰＵ４は、各種の演算、データ処理および画像処理装置１０が備える各種の電気機器の制御を実行する。ＣＰＵ４は、読取装置１、画像形成装置２、ユーザーインターフェイスユニット３および通信装置６との間でデータおよび制御信号の受け渡しが可能である。
【００４５】
ＣＰＵ４は、前記ジョブ処理装置を制御可能なプロセッサーの一例である。なお、ＤＳＰ（Ｄgital Signal Processor）などの他のプロセッサーが、ＣＰＵ４の一部または全部の代わりに採用されることも考えられる。
【００４６】
ＣＰＵ４は、二次記憶装置５に記憶されたプログラムを実行することにより、ジョブ制御部４１として動作する。ジョブ制御部４１は、前記ジョブを前記ジョブ処理装置に実行させる。
【００４７】
以下の説明において、前記画像送信ジョブまたは前記複写ジョブが実行される際に、読取装置１によってジョブの対象となる原稿９１から読み取られる画像のことを一次画像と称する。
【００４８】
前記画像送信ジョブまたは前記複写ジョブが行われる際に、前記一次画像における、予め設定された指定色の部分に対して予め定められた加工を施すことにより、加工後の二次画像のデータを生成したい場合がある。この場合、前記二次画像のデータが、前記画像送信ジョブにおいて送信されるデータ、または、前記複写ジョブにおいて前記印刷処理の対象となるデータである。
【００４９】
以下の説明において、前記一次画像に対する前記予め定められた加工のことを指定加工と称する。
【００５０】
前記指定加工の第１例は、前記指定色の画像を消去することである。また、前記指定加工の第２例は、前記指定色の枠画像および前記枠画像で囲まれた領域の画像を消去することである。また、前記指定加工の第３例は、前記指定色の前記枠画像および前記枠画像で囲まれた領域を黒などの予め定められた色で塗りつぶすことである。
【００５１】
ところで、原稿９１の内容に応じて消去などの画像加工の対象とする前記指定色が異なる場合がある。この場合、前記指定色をその都度設定する操作を行うことは、ユーザーにとって手間である。
【００５２】
画像処理装置１０において、ＣＰＵ４が、後述する色加工制御を実行する。これにより、画像処理装置１０は、原稿９１の内容に応じて画像加工の対象とする前記指定色が異なる場合でも、簡易に前記指定色を設定できる。
【００５３】
以下の説明において、前記画像送信ジョブにおいて他装置８へ送信される画像データに対応する原稿９１および前記複写ジョブにおいて前記印刷処理用の画像データに対応する原稿９１のことを対象原稿９ａと称する。
【００５４】
ＣＰＵ４は、二次記憶装置５に記憶されたプログラムを実行することにより、さらにモード選択部４２、色特定部４３および画像加工部４４として動作する。
【００５５】
ジョブ制御部４１、モード選択部４２、色特定部４３および画像加工部４４は、それぞれプロセッサーによって実現される制御装置、モード選択装置、色特定装置および画像加工装置の一例である。
【００５６】
モード選択部４２は、操作装置３ａに対する操作に従って、画像処理装置１０の動作モードを選択する。例えば、前記動作モードの選択肢が、通常送信モード、通常複写モード、色加工送信モードおよび色加工複写モードを含むことが考えられる。
【００５７】
前記通常送信モードは、読取装置１により対象原稿９ａから読み取られた画像を表す画像データを他装置８へ送信する通常の前記画像送信ジョブが実行されるモードである。
【００５８】
前記通常複写モードは、読取装置１により対象原稿９ａから読み取られた画像をシート９２に形成する通常の前記複写ジョブが実行されるモードである。
【００５９】
前記色加工送信モードは、読取装置１により対象原稿９ａから読み取られた前記一次画像における前記指定色の部分に対して前記指定加工を施すことにより、加工後の前記二次画像のデータを生成し、生成された前記二次画像のデータを他装置８へ送信するジョブが実行されるモードである。
【００６０】
前記色加工複写モードは、読取装置１により対象原稿９ａから読み取られた前記一次画像における前記指定色の部分に対して前記指定加工を施すことにより、加工後の前記二次画像のデータを生成し、生成された前記二次画像をシート９２に形成するジョブが実行されるモードである。
【００６１】
また、モード選択部４２は、前記色加工送信モードまたは前記色加工複写モードを選択するときに、さらに前記指定加工の種類も選択する。その際、モード選択部４２は、操作装置３ａに対する操作に従って、予め定められた複数の候補から前記指定加工の種類を選択する。
【００６２】
前記指定加工の複数の候補が、前記指定色の画像を消去する第１加工と、前記指定色の枠画像および前記枠画像で囲まれた領域の画像を消去する第２加工と、前記指定色の前記枠画像および前記枠画像で囲まれた領域を黒などの予め定められた色で塗りつぶす第３加工とを含むことが考えられる。
【００６３】
なお、前記指定加工を選択できないことも考えられる。この場合、前記指定加工が、前記第１加工、前記第２加工または前記第３加工であることが考えられる。
【００６４】
前記色加工送信モードまたは前記色加工複写モードが選択される場合において、対象原稿９ａに形成された画像の典型例は、印刷された画像と、赤または青などの有彩色のペンで記入された手書き画像とを含む。
【００６５】
そして、ユーザーは、対象原稿９ａの画像に対して前記手書き画像の色を前記指定色とする前記指定加工が施された前記二次画像のデータまたは印刷物を得たい場合に、前記色加工送信モードまたは前記色加工複写モードを選択する操作を行う。
【００６６】
前記色加工送信モードまたは前記色加工複写モードがモード選択部４２によって選択された状態で、予め定められた開始操作が操作装置３ａに対して行われたときに、ジョブ制御部４１が、前記色加工制御を開始する。
【００６７】
ユーザーは、前記色加工制御を画像処理装置１０に実行させる場合、対象原稿９ａに加え、例えば図４に示されるような参照原稿９ｂを予め用意する。参照原稿９ｂは、読取装置１によって画像が読み取られる原稿９１の一例である。
【００６８】
参照原稿９ｂには、参照画像ｇ０が形成されている。図４に示される参照画像ｇ０は、予め定められた特定マークＭ０と、１つ以上の色指定画像ｇ１とを含む。色指定画像ｇ１は、特定マークＭ０を基準にした予め定められた位置に形成されている。
【００６９】
図４に示される例において、色指定画像ｇ１は、黒色の枠マークＭ１で囲まれている。例えば、特定マークＭ０と、特定マークＭ０に対応する１つ以上の枠マークＭ１とが、予め白地の参照原稿９ｂに形成されていることが考えられる。
【００７０】
そして、ユーザーが、赤または青などの有彩色のペンで枠マークＭ１の内側の空白を塗りつぶすことが考えられる。この場合、ユーザーは、対象原稿９ａへの手書きに用いたペンで、参照原稿９ｂにおける枠マークＭ１の内側の空白を塗りつぶす。
【００７１】
図４に示される例において、それぞれ色の異なる複数の色指定画像ｇ１が、参照原稿９ｂにおける特定マークＭ０に対応する位置に形成されている。なお、少なくとも１つの色指定画像ｇ１が、参照原稿９ｂにおける特定マークＭ０に対応する位置に形成されている。
【００７２】
本実施形態において、前記色加工送信モードまたは前記色加工複写モードが選択される場合、対象原稿９ａが原稿トレイ１ｃに載置され、参照原稿９ｂがプラテンガラス１ａに載置される。
【００７３】
［色加工制御］
以下、図３に示されるフローチャートを参照しつつ、前記色加工制御の手順の一例について説明する。以下の説明において、Ｓ１，Ｓ２，…は、前記色加工制御における複数の工程の識別符号を表す。
【００７４】
＜工程Ｓ１＞
前記色加工制御において、まず、ジョブ制御部４１が、走査読取装置１ｂに、参照原稿９ｂの画像を読み取る参照原稿読取処理を実行させる。これにより、走査読取装置１ｂは、参照画像ｇ０のデータを出力する。なお、参照原稿９ｂから画像を読み取る走査読取装置１ｂは、第１読取装置の一例である。
【００７５】
＜工程Ｓ２＞
続いて、色特定部４３が、指定色特定処理を実行する。前記指定色特定処理は、走査読取装置１ｂにより参照原稿９ｂから読み取られた参照画像ｇ０に含まれる色指定画像ｇ１の色を前記指定色として特定する処理である。
【００７６】
色特定部４３は、走査読取装置１ｂにより参照原稿９ｂにおける予め定められた幅の一部の画像のデータが得られるごとに、前記指定色特定処理を実行する。
【００７７】
それぞれ異なる色の複数の色指定画像ｇ１が、参照原稿９ｂに形成されている場合、色特定部４３は、それら複数の色指定画像ｇ１に対応する複数の前記指定色を特定する。
【００７８】
本実施形態において、色特定部４３は、参照画像ｇ０から予め定められた特定マークＭ０を検出する。さらに、色特定部４３は、参照画像ｇ０における特定マークＭ０に対応する位置に存在する枠マークＭ１内の色指定画像ｇ１の色を前記指定色として特定する。
【００７９】
＜工程Ｓ３＞
続いて、ジョブ制御部４１が、原稿搬送装置１ｄおよび固定読取装置１ｆに対象原稿読取処理を実行させる。前記対象原稿読取処理において、原稿搬送装置１ｄが対象原稿９ａを搬送し、さらに、固定読取装置１ｆが対象原稿９ａから前記一次画像を読み取る。
【００８０】
本実施形態において、ジョブ制御部４１は、色特定部４３が前記指定色を特定できた時点で、原稿搬送装置１ｄおよび固定読取装置１ｆに前記対象原稿読取処理を開始させる。
【００８１】
また、複数の対象原稿９ａが原稿トレイ１ｃに載置されている場合、ジョブ制御部４１は、原稿トレイ１ｃ上の全ての対象原稿９ａについて、前記対象原稿読取処理を原稿搬送装置１ｄおよび固定読取装置１ｆに実行させる。
【００８２】
図４に示されるように、特定マークＭ０および色指定画像ｇ１は、参照原稿９ｂにおける副走査方向Ｄ２の上流側の端寄りの部分に形成されている。従って、ジョブ制御部４１は、走査読取装置１ｂにより参照原稿９ｂの全領域の画像が読み取られることを待つことなく、原稿搬送装置１ｄおよび固定読取装置１ｆに前記対象原稿読取処理を開始させる。
【００８３】
従って、固定読取装置１ｆは、走査読取装置１ｂにより参照原稿９ｂの全領域の画像が読み取られることを待つことなく、対象原稿９ａから画像を読み取る。これにより、前記対象原稿読取処理が速やかに開始される。
【００８４】
前記対象原稿読取処理により、前記一次画像のデータが得られる。なお、対象原稿９ａから画像を読み取る固定読取装置１ｆは、第２読取装置の一例である。
【００８５】
＜工程Ｓ４＞
続いて、画像加工部４４が、固定読取装置１ｆにより対象原稿９ａから読み取られた前記一次画像における前記指定色の部分に対して前記指定加工を施すことにより、加工後の前記二次画像のデータを生成する。
【００８６】
工程Ｓ３において、原稿トレイ１ｃ上の複数の対象原稿９ａに対応する複数ページ分の前記一次画像のデータが得られることが考えられる。この場合、画像加工部４４は、複数ページ分の前記一次画像の全てについて前記指定加工を施すとともに、加工後の複数ページ分の前記二次画像のデータを生成する。
【００８７】
また、工程Ｓ２において、複数の前記特定色が特定されることも考えられる。この場合、画像加工部４４は、前記一次画像における全ての前記指定色の部分に対して前記指定加工を施す。
【００８８】
＜工程Ｓ５＞
続いて、ジョブ制御部４１が、通信装置６または画像形成装置２に対して前記二次画像のデータに基づく画像出力処理を実行させる。その後、ジョブ制御部４１は、前記色加工制御を終了させる。
【００８９】
また、工程Ｓ４において、複数ページ分の前記二次画像のデータが得られることが考えられる。この場合、ジョブ制御部４１は、複数ページ分の前記二次画像の全てに対応する前記画像出力処理を通信装置６または画像形成装置２に実行させる。
【００９０】
前記色加工送信モードが前記動作モードとして選択されている場合が考えられる。この場合、ジョブ制御部４１は、前記二次画像のデータを予め設定された他装置８へ送信する処理を前記画像出力処理として通信装置６に実行させる。
【００９１】
一方、前記色加工複写モードが前記動作モードとして選択されている場合も考えられる。この場合、ジョブ制御部４１は、前記二次画像のデータに基づく前記印刷処理を前記画像出力処理として画像形成装置２に実行させる。これにより、前記二次画像がシート９２に形成される。
【００９２】
以上に示されるように、色特定部４３は、走査読取装置１ｂにより参照原稿９ｂから読み取られた参照画像ｇ０に含まれる色指定画像ｇ１の色を前記指定色として特定する（Ｓ２）。
【００９３】
さらに、画像加工部４４が、固定読取装置１ｆにより対象原稿９ａから読み取られた前記一次画像における前記指定色の部分に対して予め定められた加工を施す。これにより、画像加工部４４は、加工後の前記二次画像のデータを生成する（Ｓ４）。
【００９４】
従って、画像処理装置１０が採用されれば、対象原稿９ａの内容に応じて画像加工の対象とする前記指定色が異なる場合でも、簡易に前記指定色を設定することが可能となる。
【００９５】
［第２実施形態］
次に、図５を参照しつつ、第２実施形態に係る画像処理装置について説明する。本実施形態に係る画像処理装置は、図１，２に示される画像処理装置１０における読取装置１が図５に示される読取装置１ｘに置き換えられた構成を有している。図５において、図１，２に示される構成要素と同じ構成要素は、同じ参照符号が付されている。
【００９６】
読取装置１ｘは、プラテンガラス１ａ、走査読取装置１ｂ、原稿トレイ１ｃ、原稿搬送装置１ｄ、排出トレイ１ｅおよびコンタクトガラス１ｇなどを備える。
【００９７】
読取装置１ｘにおいて、走査読取装置１ｂは、読取装置１における固定読取装置１ｆを兼ねる。そのため、読取装置１ｘにおいて、走査読取装置１ｂとは別個の固定読取装置１ｆは省略されている。
【００９８】
読取装置１ｘにおいて、駆動装置１０２は、副走査方向Ｄ２におけるプラテンガラス１ａの全領域およびコンタクトガラス１ｇに亘る範囲においてキャリッジ１０１を移動可能である。
【００９９】
走査読取装置１ｂは、原稿搬送装置１ｄによって搬送される原稿９１から画像を読み取る場合、駆動装置１０２が、キャリッジ１０１を読取位置Ｐ０に位置決めする。
【０１００】
本実施形態においても、前記色加工送信モードまたは前記色加工複写モードが前記動作モードとして選択されている場合がある。この場合、走査読取装置１ｂは、まず図３の工程Ｓ１においてプラテンガラス１ａ上の参照原稿９ｂの画像を読み取る装置として動作する。その後、走査読取装置１ｂは、図３の工程Ｓ３において原稿搬送装置１ｄによって搬送される対象原稿９ａの画像を読み取る固定読取装置１ｆとして動作する。
【０１０１】
なお、プラテンガラス１ａ上の参照原稿９ｂの画像を読み取るときの走査読取装置１ｂは、前記第１読取装置の一例である。一方、原稿搬送装置１ｄによって搬送される対象原稿９ａの画像を読み取るときの走査読取装置１ｂは、前記第２読取装置の一例である。
【０１０２】
例えば、前記色加工送信モードまたは前記色加工複写モードが前記動作モードとして選択されたときに、ジョブ制御部４１が、キャリッジ１０１を起点位置Ｐ１よりも第１方向Ｄ２１の下流側の中間位置Ｐ２へ移動させることが考えられる。
【０１０３】
参照原稿９ｂが起点位置Ｐ１を基準としてプラテンガラス１ａに載置された状態において、参照原稿９ｂにおける特定マークＭ０および色指定画像ｇ１は、起点位置Ｐ１と中間位置Ｐ２との間の領域に形成されている。
【０１０４】
そして、図３の工程Ｓ１において、ジョブ制御部４１は、キャリッジ１０１を中間位置Ｐ２から起点位置Ｐ１へ移動させつつ、走査読取装置１ｂに前記参照原稿読取処理を実行させる。なお、中間位置Ｐ２から起点位置Ｐ１へ向かう方向は、第１方向Ｄ２１の反対の第２方向Ｄ２２である。
【０１０５】
さらに、ジョブ制御部４１が、キャリッジ１０１を起点位置Ｐ１で停止させずに読取位置Ｐ０まで移動させることが考えられる。そして、図３の工程Ｓ３において、キャリッジ１０１が起点位置Ｐ１に保持された状態で、ジョブ制御部４１は、走査読取装置１ｂに前記対象原稿読取処理を実行させる。
【０１０６】
本実施形態においても、走査読取装置１ｂが、参照原稿９ｂの全領域の画像の読み取りを待つことなく、対象原稿９ａから画像を読み取ることが考えられる。即ち、走査読取装置１ｂは、参照原稿９ｂの一部の領域の画像を読み取るだけで、引き続き対象原稿９ａから画像を読み取る。
【０１０７】
本実施形態が採用される場合も、画像処理装置１０が採用される場合と同様の効果が得られる。
【０１０８】
[第１応用例]
前記第１実施形態において、図６に示されるような参照原稿９ｂが用いられることが考えられる。本応用例において、参照原稿９ｂに形成された参照画像ｇ０は、副走査方向Ｄ２において間隔を空けて形成された複数の特定マークＭ０を含む。
【０１０９】
さらに、参照画像ｇ０は、それぞれ特定マークＭ０に対応する位置に形成された複数のページ指定マークＭ２および複数の色指定画像ｇ１を含む。図６に示される参照画像ｇ０は、主走査方向Ｄ１に並ぶ一対の特定マークＭ０ごとに、その一対の特定マークＭ０に対応する１つまたは複数の色指定画像ｇ１を含む。
【０１１０】
ページ指定マークＭ２は、原稿搬送装置１ｄによって搬送される複数の対象原稿９ａにおけるページ番号を指定する画像である。以下の説明において、ページ指定マークＭ２が表すページ番号のことを更新ページ番号と称する。
【０１１１】
本応用例では、図３の工程Ｓ２において、色特定部４３は、走査読取装置１ｂにより参照原稿９ｂにおける予め定められた幅の一部の画像のデータが得られるごとに、前記指定色特定処理を実行する。
【０１１２】
さらに、色特定部４３は、参照画像ｇ０から特定マークＭ０が検出されるごとに、参照画像ｇ０における特定マークＭ０に対応する位置に存在するページ指定マークＭ２が表す前記更新ページ番号を特定する。
【０１１３】
さらに、色特定部４３は、参照画像ｇ０から特定マークＭ０が検出されるごとに、参照画像ｇ０における特定マークＭ０に対応する位置に存在する色指定画像ｇ１の色を前記指定色として特定する。
【０１１４】
そして、図３の工程Ｓ４において、画像加工部４４は、複数枚の対象原稿９ａにおける前記更新ページ番号に対応するページの前記一次画像が得られるごとに、前記指定色を前記更新ページ番号に対応する色指定画像ｇ１の色に更新する。
【０１１５】
そして、画像加工部４４は、前記更新ページ番号以降のページの前記一次画像における最新の前記指定色の部分に対して前記指定加工を施す処理を実行する。
【０１１６】
本応用例が採用される場合も、画像処理装置１０が採用される場合と同様の効果が得られる。さらに、本応用例においては、１枚の参照原稿９ｂによって複数枚の対象原稿９ａにおけるページごとに異なる前記指定色を簡易に設定することが可能となる。
【０１１７】
[第２応用例]
前記第１実施形態において、対象原稿９ａがプラテンガラス１ａに載置され、参照原稿９ｂが原稿トレイ１ｃに載置されることも考えられる。
【０１１８】
本応用例では、図３の工程Ｓ１において、ジョブ制御部４１は、原稿搬送装置１ｄおよび固定読取装置１ｆに前記参照原稿読取処理を実行させる。前記参照原稿読取処理を実行する固定読取装置１ｆが前記第１読取装置の一例である。
【０１１９】
さらに、図３の工程Ｓ３において、ジョブ制御部４１は、走査読取装置１ｂに前記対象原稿読取処理を実行させる。前記対象原稿読取処理を実行する走査読取装置１ｂが前記第２読取装置の一例である。
【０１２０】
本応用例においても、走査読取装置１ｂが、固定読取装置１ｆにより参照原稿９ｂの全領域の画像が読み取られることを待つことなく、対象原稿９ａから画像を読み取ることが考えられる。
【０１２１】
本応用例が採用される場合も、画像処理装置１０が採用される場合と同様の効果が得られる。
【０１２２】
[第３応用例]
前記第２実施形態において、対象原稿９ａがプラテンガラス１ａに載置され、参照原稿９ｂが原稿トレイ１ｃに載置されることも考えられる。
【０１２３】
本応用例では、図３の工程Ｓ１において、ジョブ制御部４１は、原稿搬送装置１ｄを動作させるとともに、キャリッジ１０１が読取位置Ｐ０に位置決めされた状態の走査読取装置１ｂに前記参照原稿読取処理を実行させる。
【０１２４】
さらに、図３の工程Ｓ３において、ジョブ制御部４１は、走査読取装置１ｂにプラテンガラス１ａ上の対象原稿９ａを走査させつつ前記対象原稿読取処理を実行させる。
【０１２５】
本応用例においても、走査読取装置１ｂが、読取位置Ｐ０での参照原稿９ｂの全領域の画像の読み取りを待つことなく、プラテンガラス１ａ上の対象原稿９ａからの画像の読み取りを開始することが考えられる。
【０１２６】
本応用例が採用される場合も、画像処理装置１０が採用される場合と同様の効果が得られる。
【０１２７】
[第４応用例]
前記第１実施形態または前記第２実施形態において、対象原稿９ａおよび参照原稿９ｂが、重ねられて原稿トレイ１ｃに載置されることも考えられる。この場合、対象原稿９ａは、対応する参照原稿９ｂが先に読み取られる順番で重ねられて原稿トレイ１ｃに載置される。
【０１２８】
本応用例において、ジョブ制御部４１は、前記色加工制御において、原稿搬送装置１ｄおよび固定読取装置１ｆに原稿トレイ１ｃ上の参照原稿９ｂおよび対象原稿９ａの画像を順次読み取る処理を実行させる。
【０１２９】
そして、色特定部４３は、原稿搬送装置１ｄにより順次搬送される複数枚の原稿９１のうち予め定められた参照条件を満たす一部を参照原稿９ｂと判定し、参照原稿９ｂに続いて搬送されるその他を対象原稿９ａと判定する。
【０１３０】
例えば、色特定部４３が、原稿９１各々から読み取られる画像から予め定められた特定マークＭ０を検出することにより、特定マークＭ０を検出できた原稿９１が参照原稿９ｂであると判定することが考えられる。この場合、原稿９１から読み取られた画像が特定マークＭ０を含むことが、前記参照条件である。
【０１３１】
本応用例において、原稿トレイ１ｃ上の複数枚の原稿９１が、複数枚の参照原稿９ｂと、少なくとも参照原稿９ｂと同数以上の対象原稿９ａとを含むことが考えられる。この場合、色特定部４３は、原稿９１が参照原稿９ｂであると判定するごとに、前記指定色を、参照原稿９ｂであると判定された原稿９１の画像に含まれる色指定画像ｇ１の色に更新する。
【０１３２】
そして、画像加工部４４は、後続する原稿９１である対象原稿９ａから読み取られる前記一次画像における更新後の前記指定色の部分に対して前記指定加工を施す処理を実行する。
【０１３３】
本応用例が採用される場合も、対象原稿９ａの内容に応じて画像加工の対象とする前記指定色が異なる場合でも、簡易に前記指定色を設定することが可能となる。
【０１３４】
[第５応用例]
前記第１実施形態または前記第２実施形態において、対象原稿９ａおよび参照原稿９ｂが、重ねられて原稿トレイ１ｃに載置されることも考えられる。この場合、対象原稿９ａは、対応する参照原稿９ｂが先に読み取られる順番で重ねられて原稿トレイ１ｃに載置される。
【０１３５】
本応用例において、色特定部４３は、予め定められた順番に搬送される原稿９１を参照原稿９ｂであると判定し、それ以外の原稿９１を対象原稿９ａであると判定する。例えば、前記予め定められた順番が、１ページ目であることが考えられる。
【符号の説明】
【０１３６】
１      ：読取装置
１ａ    ：プラテンガラス
１ｂ    ：走査読取装置
１ｃ    ：原稿トレイ
１ｄ    ：原稿搬送装置
１ｅ    ：排出トレイ
１ｆ    ：固定読取装置
１ｇ    ：コンタクトガラス
１ｘ    ：読取装置
２      ：画像形成装置
２ａ    ：シート搬送機構
２ｂ    ：感光体
２ｃ    ：帯電装置
２ｄ    ：レーザースキャニングユニット
２ｅ    ：現像装置
２ｆ    ：転写装置
２ｇ    ：定着装置
３      ：ユーザーインターフェイスユニット
３ａ    ：操作装置
３ｂ    ：表示装置
４      ：ＣＰＵ
４ａ    ：ＲＡＭ
５      ：二次記憶装置
６      ：通信装置
８      ：他装置
９ａ    ：対象原稿
９ｂ    ：参照原稿
１０    ：画像処理装置
４１    ：ジョブ制御部
４２    ：モード選択部
４３    ：色特定部（色特定装置）
４４    ：画像加工部（画像加工装置）
８０    ：ネットワーク
９１    ：原稿
９２    ：シート
１００  ：原稿搬送路
１０１  ：キャリッジ
１０２  ：駆動装置
１０３  ：光源
１０４  ：イメージセンサー
１０６  ：光源
１０７  ：イメージセンサー
Ｄ１    ：主走査方向
Ｄ２    ：副走査方向
Ｄ２１  ：第１方向
Ｄ２２  ：第２方向
Ｍ０    ：特定マーク
Ｍ１    ：枠マーク
Ｍ２    ：ページ指定マーク
Ｐ０    ：読取位置
Ｐ１    ：起点位置
Ｐ２    ：中間位置
ｇ０    ：参照画像
ｇ１    ：色指定画像
【図１】
2019106669.tif 000003
【図２】
2019106669.tif 000004
【図３】
2019106669.tif 000005
【図４】
2019106669.tif 000006
【図５】
2019106669.tif 000007
【図６】
2019106669.tif 000008